(57)【要約】【課題】環状のノズルの隙間を均一にして、誘引空気吹き出し口から一様な気流を吹き出すことができる送風装置を提供する。【解決手段】風路部材１４は、本体５の内部２３から開口１３内に延設した円筒体２５と、開口４に連結した流入管３１を有し、風路部材１４を一方の極７側から開口４へ押し当てて取り付けることによって、ノズル１７を開口１３の内周壁２８に円筒体２５の外周壁２６を同心円状に配置した構成としたことで、風路部材１４は球体である本体５の外周側から均等に支えられながら他方の極８方向へ押し当てられることになり、誘引空気吹出口３０の外周壁２６と開口１３の内周壁２８は、容易に配置することができる。【選択図】図１
2015175309.tif 000002
【特許請求の範囲】
【請求項１】
一方の極側と他方の極側に二分割される球体状の本体と、前記一方の極側に配置し空気を取り入れる吸入口と、前記他方の極に設けた円形の第一開口と、この第一開口内にあって前記他方の極を周回するように配置し前記取り入れた空気を吹出す環状のノズルと、前記開口の中心に配置して前記ノズルから吹出す空気に誘引させた空気を吹き出す誘引空気吹出口と、前記本体の外周部を周回するように複数を配置した第二開口であって前記誘引空気吹出口から吹き出す空気を取り入れる誘引空気吸込口とを備え、前記本体内には、前記誘引空気吸込口から吸込まれた空気を中心部で収集して前記誘引空気吹出口へ連通する風路部材と、前記取り入れた空気を前記ノズルによって高圧の気流にする高圧空気発生手段とを備え、前記風路部材は、前記本体の中心部から前記第一開口内に延設した円筒体と、前記第二開口に連結した流入管を有し、前記風路部材を一方の極側から前記第二開口へ押し当てて取り付けることによって、前記ノズルを前記第一開口の内周壁に前記円筒体の外周壁を同心円状に配置した構成とした送風装置。
【請求項２】
本体は他方の極と誘引空気吸込口を含む第一フレームと、一方の極を含む第二フレームとで構成し、前記第一フレームと第二フレームの間に風路部材と、高圧空気発生手段のオリフィスを配置し、前記第二フレーム側から第一フレーム側へねじにて螺合したときに第二フレーム側から前記オリフィスを介して枠体に押圧をかける構成とした請求項１記載の送風装置。
【請求項３】
風路部材は、他方の極側の第一風路体と一方の極側の第二風路体で形成し、第一風路体と第二風路体は流入管の軸を含む面で分割できる構成とした請求項１または２のいずれか一つに記載の送風装置。
【発明の詳細な説明】
【技術分野】
【０００１】
本発明は、居室内に配置し、気流に直接触れて体感温度の変化から清涼感を得たり、同室内の空気の循環を促して、室内空気の均一化を図ったりする送風装置に関するものである。
【背景技術】
【０００２】
従来、この種の送風装置は、羽根車を内包することで接触による不安感をなくしつつ、本体のコンパクト化を実現する発明が知られていた。
【０００３】
すなわち、特許文献１に開示されているように、送風装置は、一方の極側と他方の極側に二分割される球体状の本体と、前記一方の極側に配置し空気を取り入れる吸入口と、前記他方の極に設けた円形の第一開口と、この第一開口内にあって前記他方の極を周回するように配置し前記取り入れた空気を吹出す環状のノズルと、前記開口の中心に配置して前記ノズルから吹出す空気に誘引させた空気を吹き出す誘引空気吹出口と、前記本体の外周部を周回するように複数を配置した第二開口であって前記誘引空気吹出口から吹き出す空気を取り入れる誘引空気吸込口とを備え、前記本体内には、前記誘引空気吸込口から吸込まれた空気を中心部で収集して前記誘引空気吹出口へ連通する風路部材と、前記取り入れた空気を前記ノズルによって高圧の気流にする高圧空気発生手段とを備え、前記風路部材は、前記本体の中心部から前記第一開口内に延設した円筒体と、前記第二開口に連結した流入管を有し構成されたものである。
【先行技術文献】
【特許文献】
【０００４】
【特許文献１】特開２０１３−２２４６５０号公報
【発明の概要】
【発明が解決しようとする課題】
【０００５】
このような従来の送風装置において、誘引空気吹き出し口は、その外側を環状のノズルが取りまくように配置したものであって、誘引された気流が誘引吹き出し口の外周に沿って一様な気流を形成するためには、環状のノズルは誘引吹き出し口の外側で均一な隙間を確保することが重要であった。
【０００６】
そこで、本発明は、上記課題を解決するものであり、誘引空気吹き出し口から一様な気流を吹き出させることのできる送風装置を提供することを目的とする。
【課題を解決するための手段】
【０００７】
そして、この目的を解決するために、本発明は、一方の極側と他方の極側に二分割される球体状の本体と、前記一方の極側に配置し空気を取り入れる吸入口と、前記他方の極に設けた円形の第一開口と、この第一開口内にあって前記他方の極を周回するように配置し前記取り入れた空気を吹出す環状のノズルと、前記開口の中心に配置して前記ノズルから吹出す空気に誘引させた空気を吹き出す誘引空気吹出口と、前記本体の外周部を周回するように複数を配置した第二開口であって前記誘引空気吹出口から吹き出す空気を取り入れる誘引空気吸込口とを備え、前記本体内には、前記誘引空気吸込口から吸込まれた空気を中心部で収集して前記誘引空気吹出口へ連通する風路部材と、前記取り入れた空気を前記ノズルによって高圧の気流にする高圧空気発生手段とを備え、前記風路部材は、前記本体の中心部から前記第一開口内に延設した円筒体と、前記第二開口に連結した流入管を有し、前記風路部材を一方の極側から前記第二開口へ押し当てて取り付けることによって、前記ノズルを前記第一開口の内周壁に前記円筒体の外周壁を同心円状に配置した構成としたものであり、これにより所期の目的を達成するものである。
【発明の効果】
【０００８】
本発明によれば、一方の極側と他方の極側に二分割される球体状の本体と、前記一方の極側に配置し空気を取り入れる吸入口と、前記他方の極に設けた円形の第一開口と、この第一開口内にあって前記他方の極を周回するように配置し前記取り入れた空気を吹出す環状のノズルと、前記開口の中心に配置して前記ノズルから吹出す空気に誘引させた空気を吹き出す誘引空気吹出口と、前記本体の外周部を周回するように複数を配置した第二開口であって前記誘引空気吹出口から吹き出す空気を取り入れる誘引空気吸込口とを備え、前記本体内には、前記誘引空気吸込口から吸込まれた空気を中心部で収集して前記誘引空気吹出口へ連通する風路部材と、前記取り入れた空気を前記ノズルによって高圧の気流にする高圧空気発生手段とを備え、前記風路部材は、前記本体の中心部から前記第一開口内に延設した円筒体と、前記第二開口に連結した流入管を有し、前記風路部材を一方の極側から前記第二開口へ押し当てて取り付けることによって、前記ノズルを前記第一開口の内周壁に前記円筒体の外周壁を同心円状に配置した構成としたことにより、風路部材は球体である本体の外周側から均等に支えられながら一方の極側から他方の極側のへ押し当てられることになり、誘引空気吹出口の外周壁と第一開口の内周壁は、同心円上に配置することが容易となり、環状のノズルの隙間を均一にして、誘引空気吹き出し口から一様な気流を吹き出すことができるという効果を奏する。
【図面の簡単な説明】
【０００９】
【図１】本発明の実施の形態１の送風装置の外観図
【図２】同背面側からの外観図
【図３】同分解斜視図
【図４】同組み立て時の状態を示す図
【図５】同送風装置の内部構成を示す断面図
【図６】同風路部材の構成図
【図７】同第一開口の突出辺と風路部材の当接辺の配置関係を示す図
【図８】同第一開口の突出辺と風路部材の当接辺の接触状態を示す図
【発明を実施するための形態】
【００１０】
本発明の請求項１記載の送風装置は、一方の極側と他方の極側に二分割される球体状の本体と、前記一方の極側に配置し空気を取り入れる吸入口と、前記他方の極に設けた円形の第一開口と、この第一開口内にあって前記他方の極を周回するように配置し前記取り入れた空気を吹出す環状のノズルと、前記開口の中心に配置して前記ノズルから吹出す空気に誘引させた空気を吹き出す誘引空気吹出口と、前記本体の外周部を周回するように複数を配置した第二開口であって前記誘引空気吹出口から吹き出す空気を取り入れる誘引空気吸込口とを備え、前記本体内には、前記誘引空気吸込口から吸込まれた空気を中心部で収集して前記誘引空気吹出口へ連通する風路部材と、前記取り入れた空気を前記ノズルによって高圧の気流にする高圧空気発生手段とを備え、前記風路部材は、前記本体の中心部から前記第一開口内に延設した円筒体と、前記第二開口に連結した流入管を有し、前記風路部材を一方の極側から前記第二開口へ押し当てて取り付けることによって、前記ノズルを前記第一開口の内周壁に前記円筒体の外周壁を同心円状に配置した構成としたものである。
【００１１】
これにより、風路部材を前記一方の極側から前記誘引空気吸込口に押し当てて配置することで、風路部材は球体である本体の外周側から均等に支えられながら他方の極方向へ押し当てられることになり、誘引空気吹出口の外周壁と第一開口の内周壁は、同心円上に配置することが容易となり、環状のノズルの隙間を均一にして、誘引空気吹き出し口から一様な気流を吹き出すことができる。
【００１２】
また、請求項２記載の送風装置は、本体は他方の極と誘引空気吸込口を含む第一フレームと、一方の極を含む第二フレームとで構成し、前記第一フレームと第二フレームの間に風路部材と、高圧空気発生手段のオリフィスを配置し、前記第二フレーム側から第一フレーム側へねじにて螺合したときに第二フレーム側から前記オリフィスを介して枠体に押圧をかける構成としたものである。
【００１３】
これにより、第一フレームと第二フレームを組み合わせてねじで螺合することで、誘引空気吸込口側から均等に支えられながら風路部材を他方の極方向へ押し当てることになり、風路部材を前記一方の極側から前記誘引空気吸込口に押し当てて配置することで、風路部材は球体である本体の外周側から均等に支えられながら他方の極方向へ押し当てられることになり、誘引空気吹出口の外周壁と第一開口の内周壁は、同心円上に配置することが容易となり、環状のノズルの隙間を均一にして、誘引空気吹き出し口から一様な気流を吹き出すことができる。
【００１４】
また、請求項３記載の、送風装置は、風路部材は、他方の極側の第一風路体と一方の極側の第二風路体で形成し、第一風路体と第二風路体は流入管の軸を含む面で分割できる構成としたものである。
【００１５】
これにより、風路部材を前記一方の極側から前記誘引空気吸込口に押し当てて配置することで、風路部材は球体である本体の外周側から均等に支えられながら他方の極方向へ押し当てられることになり、誘引空気吹出口の外周壁と第一開口の内周壁は、同心円上に配置することが容易となり、環状のノズルの隙間を均一にして、誘引空気吹き出し口から一様な気流を吹き出すことができる。特に、このように他方の極側の第一風路体と一方の極側の第二風路体で形成し、第一風路体と第二風路体の分割面は前記本体の分割面と並行に形成することで、風路部材を第一風路体と第二風路体に分けて挿入することで、本体内部すなわち第二フレーム内へ挿入を容易にすることができる。
【００１６】
以下、本発明の実施の形態について図面を参照しながら説明する。
【００１７】
（実施の形態１）
図１に示すように送風装置１は、球体の一つの極２側に空気の吹出口３を設け、外周部に設けた開口４から空気を取り込んで吹出すように構成することで、使用者の嗜好に応じて本体５の置き位置を調整して、清涼感を得たり、室内の空気の循環を促して、室内空気の均一化を図ったりすることができる。外周部の開口４は複数設けたものであるので、図１の円筒形の台座６の上で本体５を転がしての置き位置を変えることができる。この場合に本体５の置き位置が変わって、例えば、開口４のうち一、二個が塞がれても吹出し風は影響を受けないものである。
【００１８】
そして、このような送風装置１は、図２に示す一方の極７側と図１に示す前記球体の一つの極２である他方の極８側とに分けるように分割端面９で二分割できる球体状の本体５を備えたものである。すなわち、一方の極７を含む第一フレーム１０と他方の極８を含む第二フレーム１１を合わせて球体を形成するものである。
【００１９】
第一フレーム１０には、図２に示すように一方の極７側に誘引を引き起こす空気を取り入れる吸入口１２を配置している。吸入口１２は、一方の極７を中心に開口した多数のパンチング孔である。
【００２０】
また、第二フレーム１１には、図１に示すように他方の極８に円形の開口１３（請求の範囲に記載の第一開口に該当）を設け、開口１３の中心部に誘引された空気を吹き出す吹出口３を備えている。
【００２１】
また、本体５の表面において外周部に設けた開口４（請求の範囲記載の第二開口に該当）は、一方の極７に比べて他方の極８に近い外周部を周回するように複数配置している。本実施の形態では、図１に複数の開口４の一部を示しているが全部で６個の開口４を１つの円周上に等間隔に配置している。なお、開口４は、第二フレーム１１に設けることが望ましい。また、この開口４は、吹出口３から吹き出す空気を取り入れるものである。第二フレーム１１に開口４を設けるためには、第二フレーム１１は第一フレーム１０に対して大きく分割することが望ましい。目安として分割端面９の位置は、第二フレーム１１と第一フレーム１０の球面としての表面積の比が３：１程度となることが望ましい。このようにすることで分割端面９が吹出口３側から見えにくくなりデザイン性が向上する。
【００２２】
本体５の内部には、図３に示すように、風路部材１４と高圧空気発生手段１５を備え、第二フレーム１１内へ向けて風路部材１４と高圧空気発生手段１５を順番に配置して第一フレーム１０側からねじ１６によってねじ止めする構成にしている。
【００２３】
高圧空気発生手段１５は、図１に示すように吹出口３を取り囲むようにして吹出す環状のノズル１７に吸入口１２から取り入れた空気を高圧の空気にして供給するものである。
【００２４】
図３に示す高圧空気発生手段１５は、オリフィス１８と羽根１９とモータ２０を備えた遠心送風機である。オリフィス１８は、図４に示すように分割端面９の第二フレーム１１側に固定して、第一フレーム１０の吸入口１２に対向させる配置としている。すなわち、羽根１９とモータ２０は、第二フレーム１１側に埋没させて配置している。
【００２５】
図５に示すように、風路部材１４は、開口４から吹出口３へ連通する第一風路２１を形成するものである。そして、風路部材１４の外側に吸入口１２から取り入れた空気は高圧空気発生手段１５を経由させてノズル１７から吹出させる第二風路２２が形成されている。
【００２６】
吹出口３は、本体５すなわち第二フレーム１１の内部２３から延設した円筒体２５の端面部分である。図５に示すように、内部２３は、球の中心２４に近い部分であって、一方の極７と他方の極８を結ぶ軸上であって、モータ２０の外皮よりも吹出口３に近い側である。
【００２７】
図１に示すように、円筒体２５の外周壁２６は、開口１３の内周壁２８との間に円環状の一様な隙間であるノズル１７を形成するものである。円筒体２５は風路部材１４に含まれるものである。
【００２８】
ノズル１７は、吹出口３の外周壁２６と開口１３の内周壁２８との間に形成されるものであって、高圧空気発生手段１５によって吸入口１２から吸入した空気を高圧にして吹き出すものである。そして開口４から取り込んだ空気を吹出口３は、ノズル１７から吹出す空気に誘引させて吹き出すものである。
【００２９】
つまり、開口４は、誘引空気を取り入れる誘引空気吸込口２９であって、吹出口３は、誘引空気吸込口２９から取り入れた空気をノズル１７から吹き出す空気に誘引させて吹き出す誘引空気吹出口３０を構成するものである。
【００３０】
このような送風装置１において、環状のノズル１７の隙間を均一にすることが極めて重要なものとなる。
【００３１】
そこで、本実施の形態では風路部材１４は、図５に示すように誘引空気吹出口３０へ延設した円筒体２５と、本体５の内部２３から外周部の誘引空気吸込口２９へ延設した流入管３１と、前記内部２３で流入管３１を円筒体２５へ集中させる空気収集部３３を備えたものとしている。流入管３１の軸、すなわち誘引空気吸込口２９から流入した空気が向かう方向は、球体の表面から内部２３へ向かうものであって、この流入管３１の軸である流入管中心軸２７は、球体の中心２４方向へ向けたものでもある。
【００３２】
すなわち、空気収集部３３は、円筒体２５を中心軸として誘引空気吸込口２９まで流入管３１をスポークの如く延設させるハブを形成している。このようにすることで、風路部材１４を誘引空気吸込口２９側から支えたときに、円筒体２５を外周部から均一な力で支えることができ、第二フレーム１１の開口１３内で円筒体２５の先端位置を確実に中心部に位置させることが容易になる。そして、ノズル１７の隙間を均一にすることができる。結果として、ノズル１７から噴出す空気が誘引空気吹出口３０の外周をむらなく均一に包むことになり、誘引空気吹出口３０で誘引されて吹出す空気も均一に吹き出すことができる。
【００３３】
また、風路部材１４は、図６に示すように、円筒体２５を輪切りにする方向に流入管３１の直径部分で二分割にする構成としている。すなわち、流入管中心軸２７を含む面であって、かつ直径部分で二分割できる構成としている。そして、誘引空気吹出口３０を含む第一風路体３４と、空気収集部３３の底面３５を含む第二風路体３６に分割できるように形成している。また、このように分割することによって、第一フレーム１０に対して第二フレーム１１を大きくした場合に、風路部材１４を第一風路体３４と第二風路体３６に分けて挿入することで、本体５内部すなわち第二フレーム１１内へ挿入しやすくすることができる。
【００３４】
また風路部材１４は、一方の極７側から誘引空気吸込口２９に押し当てて配置される構成としている。
【００３５】
さらに、押し当てて配置する構成について説明を加えると、図７に示すように、流入管３１の一部を構成する第一風路体３４は端部を肉薄に形成した当接辺３７を備え、誘引空気吸込口２９の他方の極８側の縁には当接辺３７に対向して突出辺３８を形成している。
【００３６】
このようにすることで、第二フレーム１１内へ向けて風路部材１４と高圧空気発生手段１５を順番に配置して第一フレーム１０側からねじ止めしたときに、ねじ止めの押圧によって、流入管３１の当接辺３７は突出辺３８に接触し、円筒体２５は外周部からの力で確実に支えることができる。
【００３７】
また、図３に示すように第二風路体３６は外側にモータ２０を収納するモータ受け３９を形成し、流入管３１には、オリフィス１８から延設した押圧柱４０の受け部４１を備えている。オリフィス１８は、流入管３１の位置に対応させて、前記押圧柱４０を外周部に配置している。そして、受け部４１は、押圧柱４０から押圧を受けたときに第二風路体３６の外周側から第一風路体３４の当接辺３７に作用するように配置している。
【００３８】
このように、押圧柱４０からの押圧が第二風路体３６の外周側で第一風路体３４の当接辺３７に作用することは、風路部材１４をオリフィス１８から押圧して支えたときに、円筒体２５を外周部から均一な力で支えることができ、第二フレーム１１の開口１３内で円筒体２５の先端位置を確実に中心部に位置させることが容易になる。
【００３９】
さらに、流入管中心軸２７は、球体の中心２４へ向かうものであるので、図８に示すように風路部材１４の外周部において押圧柱４０から押圧の方向を当接辺３７と突出辺３８の接触部分に容易に向けることができ、風路部材１４と誘引空気吸込口２９との接触をより密接なものとすることが期待できる。
【００４０】
以下、オリフィス１８の固定構造について説明をする。オリフィス１８の外周部には、ねじ孔４２を設け、第二フレーム１１の分割端面９には、このねじ孔４２に対向させてねじボス４３を備えている。さらに、第一フレーム１０には、分割端面９に沿ってねじ孔４４を備えている。そして、これらねじ孔４２、ねじボス４３、ねじ孔４４は、分割端面９に沿って周回する位置に複数を等間隔に配置している。
【００４１】
上記構成において、まず、送風装置１の動作について説明をする。
【００４２】
図４に示すように、高圧空気発生手段１５を動作させると、羽根１９によって、吸入口１２から空気を吸い込むことになる。吸い込まれた空気は、第二風路２２を通って、ノズル１７から高圧の空気となって吹出すこととなる。
【００４３】
ノズル１７から高圧の空気が吹き出されると、ノズル１７の内側の誘引空気吹出口３０では空気が誘引され前記高圧の空気に大量の空気が誘引されて噴出すこととなる。この場合、誘引空気吹出口３０から吹出す空気は、この誘引空気吹出口３０に連通する誘引空気吸込口２９から第一風路２１を通って供給されることとなる。なお、図５に示すようにノズル１７の外周側においても球体の外郭に沿って空気が誘引され、誘引空気吹出口３０から吹出す空気と合わせて大きな風量を得ることができる。
【００４４】
次に、上記の動作を確実なものとするための本体５の組み立てについて説明をする。
【００４５】
本体５は、第二フレーム１１内へ向けて風路部材１４と高圧空気発生手段１５を順番に配置して第一フレーム１０側からねじ止めすることとなる。この際に、オリフィス１８の押圧柱４０を風路部材１４の受け部４１に押し当てて、分割端面９オリフィス１８外周部のねじ孔４２と第二フレーム１１のねじボス４３の位置を合わせることとなる。さらに第一フレーム１０のねじ孔４４をオリフィス１８のねじ孔４２に合わせて第一フレーム１０外側からねじ１６で螺合することとなる。このようにして、第一フレーム１０側から風路部材１４を第二フレーム１１の誘引空気吸入口に圧接させることができる。
【００４６】
つまり、風路部材１４は、一方の極７側から誘引空気吸込口２９に押し当てて配置される構成としていることと、空気収集部３３が円筒体２５を中心軸として流入管３１を車輪のスポークの如く誘引空気吸込口２９まで延設させるハブを形成していることからこの風路部材１４の円筒体２５は、開口１３において、中心位置に容易に配置することができる。
【００４７】
つまり、環状のノズル１７の隙間にリブを設けて間隔を均一にすることをしなくても、誘引空気吹出口３０の外周壁２６と第一開口の内周壁は、同心円上に配置することが容易となる。前述のリブを設けた場合に比べて、ノズル１７は、環状の隙間を連続的かつ均一に形成して、途切れることなく、誘引空気吹出口３０から一様な気流を吹き出すことができる。結果として、ノズル１７から吹出す連続的かつ均一な空気によって、誘引空気吹出口３０から吹出す空気を均一に吹き出すことができる。
【産業上の利用可能性】
【００４８】
本体に設けた開口の外周部のノズルから噴出す空気によって中心部から誘引された空気を吹き出す吹出口を備えた送風装置の組み立て構成に関するもので、誘引される空気を均一に吹き出すことで、気流に直接触れて体感温度の変化から清涼感を得たり、同室内の空気の循環を促したりして、室内空気の均一化を図るうえで有用である。
【符号の説明】
【００４９】
１  送風装置
２  一つの極
３  吹出口
４  開口
５  本体
６  台座
７  一方の極
８  他方の極
９  分割端面
１０  第一フレーム
１１  第二フレーム
１２  吸入口
１３  開口
１４  風路部材
１５  高圧空気発生手段
１６  ねじ
１７  ノズル
１８  オリフィス
１９  羽根
２０  モータ
２１  第一風路
２２  第二風路
２３  内部
２４  球体の中心
２５  円筒体
２６  外周壁
２７  流入管中心軸
２８  内周壁
２９  誘引空気吸込口
３０  誘引空気吹出口
３１  流入管
３３  空気収集部
３４  第一風路体
３５  底面
３６  第二風路体
３７  当接辺
３８  突出辺
３９  モータ受け
４０  押圧柱
４１  受け部
４２  ねじ孔
４３  ねじボス
４４  ねじ孔
【図１】
2015175309.tif 000003
【図２】
2015175309.tif 000004
【図３】
2015175309.tif 000005
【図４】
2015175309.tif 000006
【図５】
2015175309.tif 000007
【図６】
2015175309.tif 000008
【図７】
2015175309.tif 000009
【図８】
2015175309.tif 000010